(57)【要約】【課題】ＩＳＰで有償情報を販売する際に生じる作業負担を効果的に軽減することのできる有償情報流通サーバを提供する。【解決手段】有償コンテンツの保持と提供を行う有償情報流通サーバ２０１は、ユーザ端末４０１からのアクセスを、プロバイダＡのサーバ３０１経由で受け入れ、有償コンテンツの商品情報を表示する。また、有償情報流通サーバ２０１では、プロバイダＡのサーバ３０１から、有償情報の購入申し込みコマンド、利用会員になるための入会コマンドを受信し、購入処理や入会処理を行う。また、購入及び利用状況の情報を購入情報ＤＢ２０３に登録して課金情報管理を行う。【選択図】図２
2008210404.tif 000002
【特許請求の範囲】
【請求項１】
都度課金コンテンツ情報を保持すると共に前記都度課金コンテンツの提供を行う有償情報流通サーバと、ユーザ端末へ有償情報の購入を促し、課金処理を行うプロバイダサーバとがネットワークを介して接続された有償情報流通システムにおける前記有償情報流通サーバであって、
有償情報に関する情報が記憶されたコンテンツ情報データベースと、
ユーザが購入したコンテンツに関する情報をユーザ毎に記憶する購入情報データベースと、
前記プロバイダサーバから送信される都度課金コンテンツに関する情報取得要求コマンドを受信すると、前記コンテンツ情報データベースを参照し、取得要求のあった都度課金コンテンツの情報があれば成功コードを、取得要求のあった都度課金コンテンツの情報が無ければエラーコードを前記プロバイダサーバに返信する返信手段と、
前記プロバイダサーバにおいてユーザ端末のログイン処理が正常に行われた後に当該プロバイダサーバから送信される都度課金コンテンツ購入のコマンドを受信すると、前記送信された都度課金コンテンツ購入のコマンドに対応するコンテンツが前記ユーザによって購入されたことを前記コンテンツ情報データベースに記憶して課金情報管理を行うための課金情報管理手段と
を具備することを特徴とする有償情報流通サーバ。
【請求項２】
前記課金情報管理手段は、前記都度課金コンテンツ購入のコマンドを受信すると、利用処理を行って、前記コンテンツが前記ユーザによって購入されたことを前記コンテンツ情報データベースに記憶し、当該利用処理に成功した場合にはコンテンツを利用するために必要となるアクセスキーとＵＲＬおよび成功コードを、利用処理に失敗した場合にはエラーコードを、前記プロバイダサーバに送信する
ことを特徴とする請求項１に記載の有償情報流通サーバ。
【請求項３】
前記ユーザ端末からの都度課金コンテンツの購入に関するアクセスを、前記プロバイダサーバからの誘導により受け入れて、提供する都度課金コンテンツの商品情報を表示するための商品情報表示手段と、
を具備することを特徴とする請求項１または２に記載の有償情報流通サーバ。
【請求項４】
前記プロバイダサーバから、有償情報の購入または利用状況の確認要求コマンドを受信し、前記購入情報データベースを参照して、指定されたユーザの購入及び利用状況の情報を返信するための利用状況照会処理手段をさらに具備することを特徴とする請求項１から３のいずれかに記載の有償情報流通サーバ。
【請求項５】
前記プロバイダサーバから、カスタマーサポートを行うためのデータ操作処理要求コマンドを受信し、要求されたデータ処理を実行すると共に、その実行結果を前記プロバイダサーバに返信するためのデータ操作処理手段を
さらに具備することを特徴とする請求項１から４のいずれかに記載の有償情報流通サーバ。
【請求項６】
都度課金コンテンツ情報を保持すると共に前記都度課金コンテンツの提供を行う有償情報流通サーバと、ユーザ端末へ有償情報の購入を促し、課金処理を行うプロバイダサーバとがネットワークを介して接続された有償情報流通システムにおける前記有償情報流通サーバであって、当該有償情報流通サーバは、有償情報に関する情報が記憶されたコンテンツ情報データベースと、ユーザが購入したコンテンツに関する情報をユーザ毎に記憶する購入情報データベースと、を有するものであって、
前記有償情報流通サーバを用いて、
前記有償情報流通サーバの返信手段が、
前記プロバイダサーバから送信される都度課金コンテンツに関する情報取得要求コマンドを受信すると、前記コンテンツ情報データベースを参照し、取得要求のあった都度課金コンテンツの情報があれば成功コードを、取得要求のあった都度課金コンテンツの情報が無ければエラーコードを前記プロバイダサーバに返信するステップと、
前記有償情報流通サーバの課金情報管理手段が、
前記プロバイダサーバにおいてユーザ端末のログイン処理が正常に行われた後に当該プロバイダサーバから送信される都度課金コンテンツ購入のコマンドを受信すると、前記送信された都度課金コンテンツ購入のコマンドに対応するコンテンツが前記ユーザによって購入されたことを前記コンテンツ情報データベースに記憶して課金情報管理を行うステップと
を実行する有償情報流通方法。
【請求項７】
都度課金コンテンツ情報を保持すると共に前記都度課金コンテンツの提供を行う有償情報流通サーバと、ユーザ端末へ有償情報の購入を促し、課金処理を行うプロバイダサーバとがネットワークを介して接続された有償情報流通システムにおける前記有償情報流通サーバであって、当該有償情報流通サーバは、有償情報に関する情報が記憶されたコンテンツ情報データベースと、ユーザが購入したコンテンツに関する情報をユーザ毎に記憶する購入情報データベースと、を有するものであって、
前記有償情報流通サーバのコンピュータを、
前記プロバイダサーバから送信される都度課金コンテンツに関する情報取得要求コマンドを受信すると、前記コンテンツ情報データベースを参照し、取得要求のあった都度課金コンテンツの情報があれば成功コードを、取得要求のあった都度課金コンテンツの情報が無ければエラーコードを前記プロバイダサーバに返信する返信手段、
前記プロバイダサーバにおいてユーザ端末のログイン処理が正常に行われた後に当該プロバイダサーバから送信される都度課金コンテンツ購入のコマンドを受信すると、前記送信された都度課金コンテンツ購入のコマンドに対応するコンテンツが前記ユーザによって購入されたことを前記コンテンツ情報データベースに記憶して課金情報管理を行うための課金情報管理手段、
として機能させるためのプログラム。
【発明の詳細な説明】
【技術分野】
【０００１】
この発明は、コンピュータシステムに係り、特に、ネットワーク上で有償情報（有償コンテンツともいう）の商品展示と提供（配信など）を行うと共に、購入された有償コンテンツについての課金情報を管理し、インターネット・サービス・プロバイダの負担を効果的に軽減する有償情報流通サーバ、及び有償情報流通方法に関するものである。
【背景技術】
【０００２】
近時、インターネットの利用が益々盛んになっており、インターネットを通して多種多様なコンテンツが豊富に提供されるようになり、インターネットを通して有償コンテンツを購入する機会も増加している。
このように、インターネットを通して有償コンテンツを購入する場合には、ユーザが加入しているインターネット・サービス・プロバイダ（単に「ＩＳＰ」ともいう）を介して購入する場合が多い。これは、ユーザ自身が既に「ＩＤ」や「パスワード」をＩＳＰから取得しており、またＩＳＰは、ユーザの氏名、住所、口座番号、クレジットカード番号などの属性情報が登録されており、ユーザに対する課金手段を有しているので、有償コンテンツの購入や代金の決済が円滑に行えるためである。
【０００３】
このようなシステムについて、例えば、以下に示す特許文献１がある。
【特許文献１】国際公開第０１／３３４４５号公報
【発明の開示】
【発明が解決しようとする課題】
【０００４】
しかしながら、ＩＳＰにおいて、有償コンテンツの販売を行うためには、代金の決済を行う作業の他に、以下に示すような作業が必要となる。
・販売する有償コンテンツの管理
販売する多種多様な有償コンテンツを分類整理して、画面上の商品棚に並べる必要があり、変動の激しい有償コンテンツを、日々保守管理して陳列する作業は非常に大きな負担となる。
・購入情報と課金情報の管理
ユーザが有償コンテンツを購入した場合や、有償コンテンツを利用する場合には、それらに対する課金情報を記録し管理する必要がある。特に、期限付きの時間利用制のコンテンツの場合には、その有効時間の管理も必要になるなど、大きな作業負担を強いられる。
・有償コンテンツの提供
また、多数のユーザに対してのコンテンツの提供（配信）についても、その管理と保守が大きな負担となる。
【０００５】
このように、ＩＳＰがインターネット上で有償コンテンツの販売を行う場合には、本来のＩＳＰの業務（例えば、会員登録、インターネット接続サービス、利用料金の決済など）の他に、多くの新たな作業負担が発生し、また、その作業負担は各ＩＳＰごとに重複して発生し、経済的な効率を著しく低下させるものとなっていた。
【０００６】
本発明は上記課題を解決するためになされたものであり、本発明の目的は、ＩＳＰで有償情報（有償コンテンツ）を販売する際に生じる作業負担を効果的に軽減することのできる有償情報流通サーバ、及び有償情報流通方法を提供することにある。
【課題を解決するための手段】
【０００７】
上述した課題を解決するために、本発明は、都度課金コンテンツ情報を保持すると共に前記都度課金コンテンツの提供を行う有償情報流通サーバと、ユーザ端末へ有償情報の購入を促し、課金処理を行うプロバイダサーバとがネットワークを介して接続された有償情報流通システムにおける前記有償情報流通サーバであって、有償情報に関する情報が記憶されたコンテンツ情報データベースと、ユーザが購入したコンテンツに関する情報をユーザ毎に記憶する購入情報データベースと、前記プロバイダサーバから送信される都度課金コンテンツに関する情報取得要求コマンドを受信すると、前記コンテンツ情報データベースを参照し、取得要求のあった都度課金コンテンツの情報があれば成功コードを、取得要求のあった都度課金コンテンツの情報が無ければエラーコードを前記プロバイダサーバに返信する返信手段と、前記プロバイダサーバにおいてユーザ端末のログイン処理が正常に行われた後に当該プロバイダサーバから送信される都度課金コンテンツ購入のコマンドを受信すると、前記送信された都度課金コンテンツ購入のコマンドに対応するコンテンツが前記ユーザによって購入されたことを前記コンテンツ情報データベースに記憶して課金情報管理を行うための課金情報管理手段とを具備することを特徴とする。
【０００８】
また、本発明は、上述の有償情報流通サーバにおいて、前記課金情報管理手段は、前記都度課金コンテンツ購入のコマンドを受信すると、利用処理を行って、前記コンテンツが前記ユーザによって購入されたことを前記コンテンツ情報データベースに記憶し、当該利用処理に成功した場合にはコンテンツを利用するために必要となるアクセスキーとＵＲＬおよび成功コードを、利用処理に失敗した場合にはエラーコードを、前記プロバイダサーバに送信することを特徴とする。
【０００９】
また、本発明は、上述の有償情報流通サーバにおいて、前記ユーザ端末からの都度課金コンテンツの購入に関するアクセスを、前記プロバイダサーバからの誘導により受け入れて、提供する都度課金コンテンツの商品情報を表示するための商品情報表示手段と、を具備することを特徴とする。
【００１０】
また、本発明は、上述の有償情報流通サーバにおいて、前記プロバイダサーバから、有償情報の購入または利用状況の確認要求コマンドを受信し、前記購入情報データベースを参照して、指定されたユーザの購入及び利用状況の情報を返信するための利用状況照会処理手段をさらに具備することを特徴とする。
【００１１】
また、本発明は、上述の有償情報流通サーバにおいて、前記プロバイダサーバから、カスタマーサポートを行うためのデータ操作処理要求コマンドを受信し、要求されたデータ処理を実行すると共に、その実行結果を前記プロバイダサーバに返信するためのデータ操作処理手段をさらに具備することを特徴とする。
【００１２】
また、本発明は、都度課金コンテンツ情報を保持すると共に前記都度課金コンテンツの提供を行う有償情報流通サーバと、ユーザ端末へ有償情報の購入を促し、課金処理を行うプロバイダサーバとがネットワークを介して接続された有償情報流通システムにおける前記有償情報流通サーバであって、当該有償情報流通サーバは、有償情報に関する情報が記憶されたコンテンツ情報データベースと、ユーザが購入したコンテンツに関する情報をユーザ毎に記憶する購入情報データベースと、を有するものであって、前記有償情報流通サーバを用いて、前記有償情報流通サーバの返信手段が、前記プロバイダサーバから送信される都度課金コンテンツに関する情報取得要求コマンドを受信すると、前記コンテンツ情報データベースを参照し、取得要求のあった都度課金コンテンツの情報があれば成功コードを、取得要求のあった都度課金コンテンツの情報が無ければエラーコードを前記プロバイダサーバに返信するステップと、前記有償情報流通サーバの課金情報管理手段が、前記プロバイダサーバにおいてユーザ端末のログイン処理が正常に行われた後に当該プロバイダサーバから送信される都度課金コンテンツ購入のコマンドを受信すると、前記送信された都度課金コンテンツ購入のコマンドに対応するコンテンツが前記ユーザによって購入されたことを前記コンテンツ情報データベースに記憶して課金情報管理を行うステップとを実行することを特徴とする。
【００１３】
また、本発明は、都度課金コンテンツ情報を保持すると共に前記都度課金コンテンツの提供を行う有償情報流通サーバと、ユーザ端末へ有償情報の購入を促し、課金処理を行うプロバイダサーバとがネットワークを介して接続された有償情報流通システムにおける前記有償情報流通サーバであって、当該有償情報流通サーバは、有償情報に関する情報が記憶されたコンテンツ情報データベースと、ユーザが購入したコンテンツに関する情報をユーザ毎に記憶する購入情報データベースと、を有するものであって、前記有償情報流通サーバのコンピュータを、前記プロバイダサーバから送信される都度課金コンテンツに関する情報取得要求コマンドを受信すると、前記コンテンツ情報データベースを参照し、取得要求のあった都度課金コンテンツの情報があれば成功コードを、取得要求のあった都度課金コンテンツの情報が無ければエラーコードを前記プロバイダサーバに返信する返信手段、前記プロバイダサーバにおいてユーザ端末のログイン処理が正常に行われた後に当該プロバイダサーバから送信される都度課金コンテンツ購入のコマンドを受信すると、前記送信された都度課金コンテンツ購入のコマンドに対応するコンテンツが前記ユーザによって購入されたことを前記コンテンツ情報データベースに記憶して課金情報管理を行うための課金情報管理手段、として機能させるためのプログラムである。
【００１４】
以上説明した、有償情報流通サーバにおいては、有償情報流通サーバは、プロバイダサーバから、有償情報の購入申し込みコマンド、または有償情報の利用会員になるための入会コマンドを受信し、購入処理または入会処理を行うと共に、購入及び利用状況の情報を登録して課金情報管理を行う。
これにより、プロバイダで行っていた有償情報の配信、課金情報管理などの負荷を軽減できる。また、各プロバイダにおける有償情報の販売管理の負荷を有償情報流通サーバに集約することにより、有償情報の販売作業の効率が著しく改善される。
【００１５】
また、この有償情報流通サーバにおいては、ユーザ端末からの有償情報へのアクセスをプロバイダサーバ経由で受け入れ、その有償情報の種類に応じた商品情報をユーザの端末に向けて表示する。
これにより、プロバイダで行っていた、販売する多種多様な有償情報の分類整理や、変動の激しい有償情報を日々保守管理して有償情報を配信するシステムに保存する作業などの負担を軽減することができる。
【００１６】
また、この有償情報流通サーバにおいては、有償情報流通サーバが、プロバイダサーバから送信される月額会員入会コマンドを受信し、指定されたユーザを月額会員制コンテンツの利用会員として購入情報データベースに登録すると共に、該購入情報データベースに月額会員制コンテンツの利用状況の情報を登録して課金情報管理を行う。
これにより、プロバイダで行っていた月額会員制コンテンツの配信、課金情報管理などの負荷を軽減できる。
【００１７】
また、この有償情報流通サーバにおいては、ユーザが期間会員制コンテンツを利用するために必要となるアクセスキー付きＵＲＬの情報を生成してプロバイダサーバに送信する。
これにより、アクセスキー付きＵＲＬの情報を入手した正当な会員だけが月額会員制コンテンツを利用できる。
【００１８】
また、この有償情報流通サーバにおいては、プロバイダサーバから、ユーザが期間会員制コンテンツの会員から退会するための退会要求コマンドを受信し、退会処理を行う。
これにより、プロバイダサーバから、期間会員制コンテンツの利用会員の退会処理を容易に行えるようになる。
【００１９】
また、この有償情報流通サーバにおいては、アクセス期限算出手段がユーザ端末の期間会員制コンテンツへのアクセス期限を算出し、アクセス拒否手段がアクセス期限算出手段により算出された期限を超えてから、前記プロバイダからアクセスキーの発行要求コマンドを受信した場合には、前記アクセスキー付きＵＲＬの情報を生成せずにエラー情報を生成して前記プロバイダサーバに送信する。
これにより、期間会員制コンテンツの利用会員の退会処理が自動的に処理されるので、ユーザは退会のための手続を踏むことなく退会を行うことが出来る。
【００２０】
また、この有償情報流通サーバにおいては、プロバイダサーバから、該プロバイダとのプロバイダ契約を解除したユーザの情報を所定の期間毎に受信し、プロバイダ契約を解約したユーザを、有償情報を利用する会員登録から抹消する。
これにより、プロバイダ契約を解除した会員の退会手続きが確実に行えるようになる。
【００２１】
また、この有償情報流通サーバにおいては、購入情報データベースを参照して、設定された期間ごとに、課金決済用のデータとなる課金ファイルを生成し、プロバイダサーバに通知する。また、プロバイダサーバから、決済の結果を記録した課金結果ファイルを受信し、この課金結果ファイルを参照し、決済が行えなかったユーザについては、有償情報を利用する会員登録から抹消する。
これにより、月次の課金決済処理が確実に行われようになり、また決済できなかった会員の退会処理を確実に行うことができる。
【発明の効果】
【００２２】
以上説明したように、この発明によれば、有償情報流通サーバは、プロバイダサーバから送信される都度課金コンテンツ購入コマンドを受信し、ユーザの端末へのコンテンツの提供に必要な処理を行うと共に、ユーザの購入情報を購入情報データベースに登録して課金情報管理を行う。
これにより、プロバイダで行っていた都度課金コンテンツの配信、課金情報管理などの負荷を軽減できる。
【００２３】
また、この有償情報流通サーバにおいては、プロバイダサーバから、有償情報の購入または利用状況の確認要求コマンドを受信し、購入情報データベースを参照して、指定されたユーザの購入及び利用状況の情報を返信する。
これにより、ユーザの利用状況の照会が、プロバイダサーバから容易に行えるようになる。
【００２４】
また、この有償情報流通サーバにおいては、プロバイダサーバから、カスタマーサポートを行うためのデータ操作処理要求コマンドを受信し、要求されたデータ処理を実行すると共に、その実行結果をプロバイダサーバに返信する。
これにより、カスタマーサポートをプロバイダサーバから容易に行うことができる。
【発明を実施するための最良の形態】
【００２５】
以下、本発明の一実施形態による有償情報流通システムを図面を参照して説明する。
【００２６】
図１は、この発明の一実施形態による有償情報流通システムの構成を示す概略ブロック図である。この図において１００は有償コンテンツ（有償情報）の作成または提供主である有償情報提供者である。２０１は有償コンテンツを記録すると共に、有償コンテンツをユーザ端末４０１に提供する有償情報流通者の有償情報流通サーバである。３０１はプロバイダＡのサーバである。そして有償情報流通サーバ２０１とプロバイダＡのサーバ３０１はインターネットを介して接続されている。
【００２７】
なお、本例の有償情報流通システムでは、ユーザによる有償コンテンツの利用形態として、以下の場合を想定している。
・件数課金コンテンツ（都度課金コンテンツ）：ユーザが買い取って利用できるコンテンツであり、コンテンツを購入するごと課金額が積算される。
・月額会員制コンテンツ（期間会員制コンテンツ）：対象となるコンテンツに対して利用会員として登録して利用できるコンテンツである。１ヶ月ごとに所定の利用料を支払って利用できるコンテンツである。課金額は月単位で計算される。
・期間制コンテンツ（期間会員制コンテンツ）：利用時間が設定されたコンテンツであり、会員登録すると設定された期間のみ利用できるコンテンツである。
【００２８】
また、有償コンテンツとは写真、キャラクター、ロゴ、画面等の静止画像、映像、映画等の動画像、及び新聞、雑誌、小説等の文字、等の有償コンテンツや、パソコン、カメラ、等の有償商品、航空チケット、コンサートチケット、等の有償チケット、等の購入を画像又は文字等で表した物販に関する情報や、有償運送、等の有償サービスの申込みを画像又は文字等で表したサービス提供に関する情報等で、ユーザと提供者との間で商取引される全てのものに関わる情報のことを言う。そして、ユーザへの有償コンテンツの提供とは、当該有償コンテンツをユーザの端末へ送信し表示することで行われる。なお、有償商品、有償チケットの提供は郵便等の手段によって行われ、有償サービスはサービスをユーザに提供することで行われる。
【００２９】
また、図２は、プロバイダのサーバと有償情報流通サーバ２０１の機能構成例を示す図であり、プロバイダのサーバ３０１及び有償情報流通サーバ２０１内に設けられた本発明に直接関係する主要な機能を示したものである。
最初に、プロバイダのサーバ３０１内の各機能について説明する。
・アクセス誘導機能３１１は、ユーザがプロバイダのＷｅｂページ（例えば、図３に示すページ）から、有償コンテンツの購入の項目（例えば、図３に示すＷｅｂページ中の「デジタルコンテンツ」の項目）を選択した場合には、プロバイダＡのサーバ３０１では、ユーザの端末４０１のアクセスの接続先を、有償情報流通サーバ２０１に切り替えさせる。これは、有償コンテンツの商品情報の展示が有償情報流通サーバ２０１で集約して行われるためである。
・購入受付機能３１２は、ユーザ端末４０１からの有償コンテンツの購入申し込み又は利用申し込みを受け付けるための機能である。
・購入ユーザ認証機能３１３は、有償コンテンツの購入又は利用申し込みを行ったユーザについて、会員情報ＤＢ３０２を参照して、そのユーザの正当性を認証するための手段である。
・処理要求コマンド発行機能３１４は、有償情報流通サーバ２０１に対して、処理要求コマンドを送信し、有償情報流通サーバ２０１内で要求した処理を行わせるための機能である。なお、プロバイダＡのサーバ３０１から有償情報流通サーバ２０１に対する処理要求は、コマンド形式の命令で行われる。
【００３０】
次に、有償情報流通サーバ２０１内の各機能について説明する。
・商品情報表示機能２１１は、提供する有償コンテンツの商品情報を商品陳列棚として表示するための機能である。
・コマンド応答処理機能２１２は、プロバイダＡのサーバ３０１からの処理要求コマンドを受信して、指定された処理内容を実行して、その実行結果をプロバイダＡのサーバ３０１に返信するための機能である。
・課金情報管理機能２１３は、有償コンテンツを購入したユーザ、又は有償コンテンツの利用会員になったユーザの情報を購入情報データベース（ＤＢ）に記録すると共に、該ユーザに対する課金情報を購入情報データベース（ＤＢ）に記録して管理するための機能である。
・コンテンツ提供機能２１４は、有償コンテンツをユーザ端末４０１に配信（送信して表示させる）するための必要な処理を行う機能である。また、コンテンツ提供機能２１４はアクセス期限算出機能とアクセス拒否機能を備えている。
なお、コンテンツ情報データベース（コンテンツ情報ＤＢ）２０２は、有償コンテンツに関する情報が記録されたデータベースであり、図１２に、コンテンツ情報ＤＢ２０２のデータ構成例を示す。また、購入情報データベース（購入情報ＤＢ）２０３は、ユーザのコンテンツ購入情報、月額会員制コンテンツや期間制コンテンツへの会員登録情報、課金情報などが記録されるデータベースであり、図１３に購入情報ＤＢのデータ構成例を示す。
【００３１】
また、図１及び図２に示す有償情報流通システムにおいて、ユーザが有償コンテンツ（有償情報）を購入または会員として利用しようとする場合には、概略、以下のようにして行われる。
（１）ユーザは端末４０１から、ユーザの加入するプロバイダＡのサーバ３０１にアクセスしてインターネットに接続する。
（２）ユーザがプロバイダＡが提供する有償コンテンツを購入しようとする場合は、プロバイダＡのトップページ、例えば、図３に例示するような、プロバイダＡのトップページから「エンターテインメント（デジタルコンテンツ）」を選択すると、ユーザ端末４０１からのアクセスは有償情報流通サーバ２０１に誘導され、ユーザ端末４０１は有償情報流通サーバ２０１に接続される。
（３）有償情報流通サーバ２０１には、有償コンテンツの商品情報を分類整理して表示する商品棚に相当するページが豊富に用意されており、ユーザは、好みコンテンツを探して吟味することができる。
（４）購入するコンテンツが決まり、コンテンツの購入の申し込みを行うと、この購入申し込み情報はプロバイダＡのサーバ３０１に送信され、プロバイダのサーバ３０１において、コンテンツの「購入の受付」及び「ユーザの正当性の認証」が行われる。
（５）プロバイダＡのサーバ３０１でコンテンツ購入の申し込みが受け付けられると、以後の必要な以下の作業などは、有償情報流通サーバ２０１で行われる。
・有償コンテンツのユーザ端末４０１への配信
・有償コンテンツの購入情報または利用情報の購入情報ＤＢ２０３への記録と課金情報管理
・月次課金ファイルの作成とプロバイダへの通知など
【００３２】
次に、ユーザが有償コンテンツを購入または利用する場合の、具体的な処理の手順について詳細に説明する。
【００３３】
［月額会員制コンテンツの入会処理の手順］
図４は、月額会員制コンテンツの利用会員となるための入会処理の手順を示す図であり、月額会員制コンテンツの入会処理は、以下のようにして行われる。なお、ユーザの端末４０１は有償情報流通者のサーバ２０１に既に接続しているものとする。
（１）ユーザはユーザ端末４０１により、有償情報流通サーバ２０１内に用意された「コンテンツ別詳細ページ」を開く。「コンテンツ別詳細ページ」は、コンテンツの種類ごとに整理された商品陳列棚に相当する内容のページであり、ユーザはこの「コンテンツ別詳細ページ」から、会員として利用したいコンテンツを選択する（ステップＳ１０１）。
【００３４】
（２）「コンテンツ別詳細ページ」で希望のコンテンツを選択すると、「コンテンツ別無料ページ」が表示される（ステップＳ１０２）。「コンテンツ別無料ページ」は、コンテンツごとに用意されており、会員として加入する手続きや、退会する手続きなどを行うためのページである。なお、データの送受信に使用するｍｅｔｈｏｄパラメータＰＯＳＴ／ＧＥＴ中の、「ＡＩＤ」はアフリエイトＩＤ（ＩＤ：識別記号）、「ＣＩＤ」はコンテンツＩＤを示している。
【００３５】
（３）ユーザが、「コンテンツ別無料ページ」で入会の申し込みを行うと、ユーザの端末４０１からプロバイダＡのサーバ３０１に、ＡＩＤ（アフリエイトＩＤ）及びＣＩＤ（コンテンツＩＤ）の情報が送信される（ステップＳ１０３）
【００３６】
（４）プロバイダＡのサーバ３０１では、ユーザの端末４０１から受信したＣＩＤの情報と、ＰＩＤ（プロバイダＡのＩＤ（識別記号））の情報により、有償情報流通サーバ２０１に対してコマンド「ＣＯＮＩＮＦＯ（ＰＩＤ・ＣＩＤ）」を発行する（ステップＳ１０４）。コマンド「ＣＯＮＩＮＦＯ」はコンテンツ情報取得コマンドである。
【００３７】
（５）有償情報流通サーバ２０１では、コンテンツ情報ＤＢ２０２を検索し、プロバイダＡのサーバ３０１にコマンド「Ｒｅｓｐｏｎｓｅ」を返す（ステップＳ１０５）。
・ＣＩＤに該当するコンテンツの情報があれば、
「Ｒｅｓｐｏｎｓｅ（成功コード（０ｘｘ）コンテンツ情報付）」を返す。
・ＣＩＤに該当するコンテンツの情報がない場合は、
「Ｒｅｓｐｏｎｓｅ（エラーコード（１ｘｘ））」を返す。
【００３８】
（６）プロバイダＡのサーバ３０１では、コマンド「Ｒｅｓｐｏｎｓｅ」を受け取ると、コードの判断処理を行い（ステップＳ１０６）、エラーコード（１ｘｘ）の場合は、エラー情報をユーザの端末４０１に送信し、システムエラー画面を表示させる（ステップＳ１０７）。成功コード（０ｘｘ）の場合は、コンテンツ名、価格などの情報をユーザの端末４０１に送信し、また、会員申し込み用の「ＩＤ」、「パスワード」の入力画面を表示させる（ステップＳ１０８）。
（７）ユーザの端末４０１からプロバイダＡのサーバ３０１に、ユーザＩＤ、パスワード、ＡＩＤ、ＣＩＤの情報が送信される（ステップＳ１１０）。
（８）プロバイダＡのサーバ３０１では、ユーザの認証を行う（ステップＳ１１１）。
（９）ユーザの認証結果が不可（Ｎ）の場合は、ユーザの端末４０１にその旨の情報を送信し、認証エラー画面を表示させる（ステップＳ１１２）。
【００３９】
（１０）ユーザの認証が正常に行われた場合には、有償情報流通サーバ２０１に対して月額コンテンツ入会コマンド「ＭＥＭＪＯＩＮ（ＰＩＤ・ＵＩＤ・ＣＩＤ）」を発行する（ステップＳ１１３）。コマンド「ＭＥＭＪＯＩＮ」は月額コンテンツ入会コマンドである。
【００４０】
（１１）有償情報流通サーバ２０１では、購入情報ＤＢ２０３に会員登録処理を行う（ステップＳ１１４）。
・会員登録処理に成功した場合は、
「Ｒｅｓｐｏｎｓｅ（成功コード（０ｘｘ）アクセスキー入ＵＲＬ）」を返す。
・会員登録処理に失敗した場合は、
「Ｒｅｓｐｏｎｓｅ（エラーコード（１ｘｘ）））を返す。
（１２）プロバイダＡのサーバ３０１では、コマンド「Ｒｅｓｐｏｎｓｅ」を受け取ると、コードの判断処理を行い（ステップＳ１１５）、エラーコード（１ｘｘ）の場合は、エラー情報をユーザの端末４０１に送信し、二重登録エラー画面などを表示させる（ステップＳ１１６）。成功コード（０ｘｘ）の場合は、入会完了画面をユーザの端末４０１に表示させると共に、「アクセスキー付きＵＲＬ」の情報をユーザの端末４０１に送信する（ステップＳ１１７）。
以上の手順により、月額会員制コンテンツの入会処理が完了する。
【００４１】
［月額会員制コンテンツの入場処理の手順］
次に、月額会員制コンテンツへの入会処理が完了した後の、入場処理について説明する。図５は、月額会員制コンテンツの入場処理の手順を示す図であり、図５おいて、ユーザの端末４０１からの「コンテンツ別詳細ページ」と「コンテンツ別無料ページ」へのアクセスについては、図４の場合と同様であるので説明を省略し、それ以降の手順について説明する。
（１）ユーザの端末４０１からプロバイダＡのサーバ３０１に、ＡＩＤ（アフリエイトＩＤ）とＣＩＤ（コンテンツＩＤ）の情報を送信する（ステップＳ２０１）。
（２）プロバイダＡのサーバ３０１では、ユーザの端末４０１に認証フォームの画面を表示させる（ステップＳ２０２）。
（３）ユーザの端末４０１では、ＩＤとパスワードを入力して、プロバイダＡのサーバ３０１に送信する（ステップＳ２０３）。
（４）プロバイダＡのサーバ３０１では、ユーザの認証を行う（ステップＳ２０４）。
（５）ユーザの認証結果が不可（Ｎ）の場合は、ユーザの端末４０１にその旨の情報を送信し、認証エラー画面を表示させる（ステップＳ２０５）。
【００４２】
（６）ユーザの認証が正常に行われた場合には、有償情報流通サーバ２０１に対してアクセスキー発行コマンド「ＫＥＹＳＳＵＥ（ＰＩＤ・ＵＩＤ・ＣＩＤ）」を発行する（ステップＳ２０６）。
【００４３】
（７）有償情報流通サーバ２０１では、入場処理を行う（ステップＳ２０７）。
・入場処理に成功した場合は、
「Ｒｅｓｐｏｎｓｅ（成功コード（０ｘｘ）アクセスキー入ＵＲＬ）」を返す。
・入場処理に失敗した場合は、
「Ｒｅｓｐｏｎｓｅ（エラーコード（１ｘｘ））」を返す。
【００４４】
（８）プロバイダＡのサーバ３０１では、コマンド「Ｒｅｓｐｏｎｓｅ」を受け取ると、コードの判断処理を行い（ステップＳ２０８）、エラーコード（１ｘｘ）の場合は、エラー情報をユーザの端末４０１に送信し、システムエラー画面などを表示させる（ステップＳ２０９）。成功コード（０ｘｘ）の場合は、ＭＥＴＡ  Ｒｅｆｅｒｅｓｈを含んだＨＴＭＬ（アクセスキー付きＵＲＬの情報を含む）をユーザの端末４０１に返す（ステップＳ２１０）。ユーザは、アクセスキー付きＵＲＬの情を得て、有償コンテンツを利用することが可能になる。
【００４５】
［件数課金コンテンツの購入処理］
次に、件数課金コンテンツの購入処理の手順について説明する。
図６は、件数課金コンテンツの購入処理の手順を示す図であり、図６おいて、ユーザの端末４０１からの「コンテンツ別詳細ページ」と「コンテンツ別無料ページ」へのアクセスについては、図４の場合と同様であるので説明を省略し、それ以降の手順について説明する。
（１）ユーザの端末４０１からプロバイダＡのサーバ３０１に、ＡＩＤ、ＣＩＤ、及びＣＧＩパラメータの情報を送信する（ステップＳ３０１）。
【００４６】
（２）プロバイダＡのサーバ３０１では、ユーザの端末４０１から受信したＣＩＤの情報と、ＰＩＤ（プロバイダＡのＩＤ（識別記号））の情報により、有償情報流通サーバ２０１に対してコマンド「ＣＯＮＩＮＦＯ（ＰＩＤ・ＣＩＤ）」を発行する（ステップＳ３０２）。コマンド「ＣＯＮＩＮＦＯ」はコンテンツ情報取得コマンドである。
【００４７】
（３）有償情報流通サーバ２０１では、コンテンツ情報ＤＢ２０２を検索し、プロバイダＡのサーバ３０１にコンテンツ「Ｒｅｓｐｏｎｓｅ」を返す（ステップＳ３０３）。
・ＣＩＤに該当するコンテンツの情報があれば、
「Ｒｅｓｐｏｎｓｅ（成功コード（０ｘｘ）コンテンツ情報付）」を返す。
・ＣＩＤに該当するコンテンツの情報がない場合は、
「Ｒｅｓｐｏｎｓｅ（エラーコード（１ｘｘ）））を返す。
（４）プロバイダＡのサーバ３０１では、コマンド「Ｒｅｓｐｏｎｓｅ」を受け取ると、コードの判断処理を行い（ステップＳ３０４）、エラーコード（１ｘｘ）の場合は、エラー情報をユーザの端末４０１に送信し、システムエラー画面を表示させる（ステップＳ３０５）。成功コード（０ｘｘ）の場合は、コンテンツ名、価格などの情報をユーザの端末４０１に送信し、また、「ＩＤ」、「パスワード」の入力画面を表示させる（ステップＳ３０６）。
（５）ユーザの端末４０１からプロバイダＡのサーバ３０１に、ユーザＩＤ、パスワード、ＡＩＤ、ＣＩＤ及びＣＧＩパラメータの情報が送信される（ステップＳ３０７）。
（６）プロバイダＡのサーバ３０１では、ユーザの認証を行う（ステップＳ３０８）。
（７）ユーザの認証結果が不可（Ｎ）の場合は、ユーザの端末４０１にその旨の情報を送信し、認証エラー画面を表示させる（ステップＳ３０９）。
【００４８】
（８）ユーザの認証が正常に行われた場合には、有償情報流通サーバ２０１に対して件数コンテンツ購入コマンド「ＰＡＹＯＮＣＥ（ＰＩＤ・ＵＩＤ・ＣＩＤ・ＡＩＤ＋ＣＧＩパラメータ）」を発行する（ステップＳ３１０）。
【００４９】
（９）有償情報流通サーバ２０１では、利用処理を行い購入情報ＤＢ２０３に記録する（ステップＳ３１１）。
・利用処理に成功した場合は、
「Ｒｅｓｐｏｎｓｅ（成功コード（０ｘｘ）アクセスキー入ＵＲＬ）」を返す。
・利用処理に失敗した場合は、
「Ｒｅｓｐｏｎｓｅ（エラーコード（１ｘｘ））」を返す。
【００５０】
（１０）プロバイダＡのサーバ３０１では、コマンド「Ｒｅｓｐｏｎｓｅ」を受け取ると、コードの判断処理を行い（ステップＳ３１２）、エラーコード（１ｘｘ）の場合は、エラー情報をユーザの端末４０１に送信し、システムエラー画面などを表示させる（ステップＳ３１３）。成功コード（０ｘｘ）の場合は、ＭＥＴＡ  Ｒｅｆｅｒｅｓｈを含んだＨＴＭＬ（アクセスキー付きｕｒｌ＋ＣＧＩパラメータの情を含む）をユーザの端末４０１に返す（ステップＳ２１０）。
以上の手順により、件数課金コンテンツの利用処理が完了する。
【００５１】
［月額会員制コンテンツの退会処理の手順］
次に、月額会員制コンテンツの会員をやめる場合の退会処理の手順について説明する。図７は、月額会員制コンテンツの退会処理の手順を示す図であり、図７おいて、ユーザの端末４０１からの「コンテンツ別詳細ページ」と「コンテンツ別無料ページ」へのアクセスについては、図４の場合と同様であるので説明を省略し、それ以降の手順について説明する。
（１）ユーザの端末４０１からプロバイダＡのサーバ３０１に、ＡＩＤとＣＩＤの情報を送信する（ステップＳ４０１）。
（２）プロバイダＡのサーバ３０１では、ユーザの端末４０１に認証フォームの画面を表示させる（ステップＳ４０２）。
（３）ユーザの端末４０１では、ＩＤとパスワードを入力して、プロバイダＡのサーバ３０１に送信する（ステップＳ４０３）。
（４）プロバイダＡのサーバ３０１では、ユーザの認証を行う（ステップＳ４０４）。
（５）ユーザの認証結果が不可（Ｎ）の場合は、ユーザの端末４０１にその旨の情報を送信し、認証エラー画面を表示させる（ステップＳ４０５）。
【００５２】
（６）ユーザの認証が正常に行われた場合には、有償情報流通サーバ２０１に対して退会コマンド「ＭＥＭＱＵＩＴ（ＰＩＤ・ＵＩＤ・ＣＩＤ）」を発行する（ステップＳ４０６）。
【００５３】
（７）有償情報流通サーバ２０１では、退会処理を行う（ステップＳ４０７）。
・退会処理に成功した場合は、
「Ｒｅｓｐｏｎｓｅ（成功コード（０ｘｘ））」を返す。
・退会処理に失敗した場合は、
「Ｒｅｓｐｏｎｓｅ（エラーコード（１ｘｘ）））を返す。
（８）プロバイダＡのサーバ３０１では、コマンド「Ｒｅｓｐｏｎｓｅ」を受け取ると、コードの判断処理を行い（ステップＳ４０８）、エラーコード（１ｘｘ）の場合は、エラー情報をユーザの端末４０１に送信し、未入会エラー画面などを表示させる（ステップＳ４０９）。成功コード（０ｘｘ）の場合は、退会完了画面を表示させる（ステップＳ４１０）。
【００５４】
［期間制（非継続）コンテンツの入会処理・入場処理の手順］
有償情報流通サーバ２０１内部で、ＣＩＤ（コンテンツＩＤ）から利用期間を設定し、期間内利用できるように処理を行う。
例えば、期間制コンテンツが、ユーザが一日だけアクセスすることの出来る有償コンテンツである場合には、有償情報流通サーバ２０１で会員登録処理が行われる際に、コンテンツ提供機能２１４が備えているアクセス期限算出機能が２４時間後のアクセス期限時間を計算する。そしてそのアクセス期限時間以降は、同じくコンテンツ提供機能２１４が備えているアクセス拒否機能が、入場処理を行う際にアクセス拒否を示すエラーコードをプロバイダＡのサーバに返送する。
【００５５】
なお、ユーザの端末４０１とプロバイダＡのサーバ３０１と有償情報流通者のサーバ２０１の間での処理フローは、図４に示す入会処理、及び図５に示す入場処理のフローと同様であるが、図４のステップＳ１１４において、上述のアクセス期限算出機能がアクセス期限時間を計算し、また図５のステップＳ２０７の入場処理において、上述のアクセス拒否機能がアクセス期限時間を経過していないか否かを判断する。
【００５６】
［コンテンツ利用状況照会処理の手順］
次に、ユーザがコンテンツの利用状況を照会する場合の処理手順について説明する。図８にコンテンツの利用状況の照会処理の手順を示す。
（１）ユーザの端末４０１からプロバイダＡのサーバ３０１に、利用状況照会のためのアクセスを行う（ステップＳ５０１）。
（２）ユーザの端末４０１に照会画面のフォームが表示されるので、この画面上で「照会する」を選択する（ステップＳ３５０２）。
（３）プロバイダＡのサーバ３０１では、ユーザの端末４０１に認証フォームの画面を表示させる（ステップＳ５０３）。ユーザの端末４０１では、ＩＤとパスワードを入力して、プロバイダＡのサーバ３０１に送信する。
（４）プロバイダＡのサーバ３０１では、ユーザの認証を行う（ステップＳ５０４）。
（５）ユーザの認証結果が不可（Ｎ）の場合は、ユーザの端末４０１にその旨の情報を送信し、認証エラー画面を表示させる（ステップＳ５０５）。
【００５７】
（６）ユーザの認証が正常に行われた場合には、有償情報流通サーバ２０１に対して購入状況確認コマンド「ＰＡＹＬＩＳＴ（ＰＩＤ・ＵＩＤ・期間）」を発行する（ステップＳ５０６）。
【００５８】
（７）有償情報流通サーバ２０１では、利用状況照会処理を行う（ステップＳ５０７）。
・利用状況照会処理に成功した場合は、
「Ｒｅｓｐｏｎｓｅ（成功コード（０ｘｘ）・利用情報）」を返す。なお、ここでの利用情報は、例えば、利用情報：（購入年月日時分・コンテンツ名・価格）などの情報である。
・利用状況照会処理に失敗した場合は、
「Ｒｅｓｐｏｎｓｅ（エラーコード（１ｘｘ））」を返す。
【００５９】
（８）プロバイダＡのサーバ３０１では、コマンド「Ｒｅｓｐｏｎｓｅ」を受け取ると、コードの判断処理を行い（ステップＳ５０８）、エラーコード（１ｘｘ）の場合は、エラー情報をユーザの端末４０１に送信し、システムエラー画面などを表示させる（ステップＳ５０９）。成功コード（０ｘｘ）の場合は、利用状況照会画面にユーザの利用状況の情報を表示する（ステップＳ５１０）。
【００６０】
［ユーザのプロバイダからの退会処理］
次に、ユーザがプロバイダＡとのプロバイダ契約を解除し、退会した場合の処理手順について説明する。なお、この退会処理はバッチ処理で行われる。図９に処理手順を示し、以下のようにして行われる。
（１）プロバイダＡのサーバ３０１では、毎月の締めごとに、退会者ＩＤリストを作成し、退会者ＩＤリストを有償情報流通サーバ２０１に送付する（ステップＳ６０１）。
（２）有償情報流通サーバ２０１では、受け取った退会者ＩＤリストを基に、月額会員制バッチ退会処理を行う（ステップＳ６０２）。
【００６１】
［月次課金処理の手順］
また、図１０は、月次課金処理の手順を示す図であり、以下その手順について説明する。
（１）有償情報流通サーバ２０１では、毎月ごとに締めを行い、１ヶ月分の課金ファイルを作成処理を行い（ステップＳ７０１）、販売実績などをプロバイダＡのサーバ３０１に通知する。
【００６２】
（２）プロバイダＡのサーバ３０１では、有償情報流通サーバ２０１から受け取った課金ファイルを基に、クレジット会社などに決済の依頼を行い、その結果を課金結果ファイルとして出力する（ステップＳ７０２）。
（３）課金結果ファイルは、有償情報流通サーバ２０１に戻される。この下記結果ファイルには、決済の成否の結果が記録されており、有償情報流通者は自己の取り分を計算して、プロバイダＡに請求する。なお、課金ができなかったユーザは、課金失敗者として記録すると共に、強制退会などの手続きをとる（ステップＳ７０３）。
【００６３】
［データ操作処理（カスタマーサポート用インタフェース）］
次に、カスタマーサポート処理について説明する。
本発明による有償情報流システムでは、処理コマンドを使用することにより、以下に示すようなサポート処理を行うことができる。
・ユーザＩＤ（ＵＩＤ）とコンテンツＩＤ（ＣＩＤ）を入力して、当該月額会員制コンテンツの登録を解除。例えば、コマンド「ＭＥＭＱＵＩＴ」を使用する。
・ユーザＩＤ（ＵＩＤ）とコンテンツＩＤ（ＣＩＤ）を入力して、当該コンテンツの購入（登録）。例えば、コマンド「ＰＡＹＯＮＣＥ」を使用する。
・ユーザＩＤ（ＵＩＤ）とコンテンツＩＤ（ＣＩＤ）を入力して、当該コンテンツの当月内課金の解除。例えば、コマンド「ＣＡＮＣＥＬ」を使用する。
【００６４】
また、図１１は、カスタマーサポートによるデータ操作処理の手順を示す図であり、以下その手順について説明する。
（１）カスタマーサポート端末５０１からプロバイダＡのサーバ３０１に、データ操作処理のためのアクセスを行う（ステップＳ８０１）。
（２）プロバイダＡのサーバ３０１では、カスタマーサポート端末５０１にサポート画面のメニューを表示させる（ステップＳ８０２）。サポート画面で「操作内容」を選択すると、認証用フォーム画面が表示される（ステップＳ８０３）。
（３）カスタマーサポート端末５０１では、ＩＤとパスワードを入力して、プロバイダＡのサーバ３０１に送信する（ステップＳ８０４）。
（４）プロバイダＡのサーバ３０１では、カスタマーサポート者の認証を行う（ステップＳ８０５）。
（５）カスタマーサポート者の認証結果が不可（Ｎ）の場合は、カスタマーサポート端末５０１にその旨の情報を送信し、認証エラー画面を表示させる（ステップＳ８０６）。
（６）カスタマーサポート者の認証が正常に行われた場合には、カスタマーサポート端末５０１にデータ操作メニュー画面が表示される。この画面に、ユーザＩＤ（ＵＩＤ）、コンテンツＩＤ（ＣＩＤ）、操作内容を入力してプロバイダＡのサーバ３０１に送信する（ステップＳ８０７）。
（７）プロバイダＡのサーバ３０１は、有償情報流通サーバ２０１に対して、操作内容に対応するコマンドを発行する（流通サーバコール：ステップＳ８０８）。
【００６５】
（８）有償情報流通サーバ２０１では、購入情報ＤＢ２０３またはコンテンツ情報ＤＢ２０２に対して、データ操作処理を行う（ステップＳ８０９）。
・データ操作処理に成功した場合は、
「Ｒｅｓｐｏｎｓｅ（成功コード（０ｘｘ）利用情報）」を返す。
・データ操作処理に失敗した場合は、
「Ｒｅｓｐｏｎｓｅ（エラーコード（１ｘｘ））」を返す。
【００６６】
（９）プロバイダＡのサーバ３０１では、コマンド「Ｒｅｓｐｏｎｓｅ」を受け取ると、コードの判断処理を行い（ステップＳ８１０）、エラーコード（１ｘｘ）の場合は、エラー情報をカスタマーサポート端末５０１に送信し、システムエラー画面などを表示させる（ステップＳ８１１）。成功コード（０ｘｘ）の場合は、操作処理終了画面を表示させる（ステップＳ８１２）。
【００６７】
なお、本実施の形態における有償情報流通システムにおいては、有償情報流通サーバ２０１で有償コンテンツを保持しているが、有償コンテンツをプロバイダＡのサーバ３０１で保持しておき、入会処理や入場処理や退会処理などの、有償コンテンツをユーザの端末４０１に提示する処理以外の処理を有償情報流通サーバで行うようにしても良い。
【００６８】
なお、上述の説明における「有償情報流通者のサーバ」、「プロバイダのサーバ」、「ユーザの端末」、コンピュータシステムにより実現されている。そして、上述した各処理の全部または一部を、プログラムの形式でコンピュータ読み取り可能な記録媒体に記憶し、このプログラムをコンピュータが読み出して実行することによって、上記処理を行ってもよい。ここでコンピュータシステムの記録媒体とは、フレキシブルディスク、光磁気ディスク、ＣＤ−ＲＯＭ、磁気ハードディスク、磁気テープ、半導体メモリ等をいう。
【００６９】
また、上記プログラムは、このプログラムを記憶装置等に格納したコンピュータシステムから電気通信回線等の伝送媒体を介して他のコンピュータシステムに伝送されるものであっても良い。ここで電気通信回線の伝送媒体とは、電気あるいは電磁波等による信号を伝える物理的性質を持つ、金属線、光ファイバー、電磁場等のことをいう。
【００７０】
以上、本発明の実施の形態について説明したが、本発明の有償情報流通サーバは、上述の図示例にのみ限定されるものではなく、本発明の要旨を逸脱しない範囲内において種々変更を加え得ることは勿論である。
【図面の簡単な説明】
【００７１】
【図１】この発明の一実施形態による有償情報流通システムの構成を示す概略ブロック図である。
【図２】プロバイダのサーバと有償情報流通サーバの機能構成例を示す図である。
【図３】プロバイダのトップページの例を示す図である。
【図４】月額会員制コンテンツの入会処理の手順を示す図である。
【図５】月額会員制コンテンツの入場処理の手順を示す図である。
【図６】件数課金コンテンツの購入処理の手順を示す図である。
【図７】月額会員制コンテンツの退会処理の手順を示す図である。
【図８】コンテンツ利用状況照会処理の手順を示す図である。
【図９】ユーザがプロバイダ契約を解除し退会した場合の処理手順を示す図である。
【図１０】月次課金処理の手順を示す図である。
【図１１】カスタマーサポートによるデータ操作処理例の手順を示す図である。
【図１２】コンテンツ情報ＤＢのデータ構成例を示す図である。
【図１３】購入情報ＤＢのデータ構成例を示す図である。
【符号の説明】
【００７２】
１  通信ネットワーク
１００  有償情報提供者
２０１  有償情報流通サーバ
２０２  コンテンツ情報ＤＢ
２０３  購入情報ＤＢ
２１１  商品情報表示機能
２１２  コマンド応答処理機能
２１３  課金情報管理機能
２１４  コンテンツ提供機能
３０１  プロバイダＡのサーバ
３１１  アクセス誘導機能
３１２  購入受付機能
３１３  購入ユーザ認証機能
３１４  処理要求コマンド発行機能
４０１  ユーザ端末
【図１】
2008210404.tif 000003
【図２】
2008210404.tif 000004
【図３】
2008210404.tif 000005
【図４】
2008210404.tif 000006
【図５】
2008210404.tif 000007
【図６】
2008210404.tif 000008
【図７】
2008210404.tif 000009
【図８】
2008210404.tif 000010
【図９】
2008210404.tif 000011
【図１０】
2008210404.tif 000012
【図１１】
2008210404.tif 000013
【図１２】
2008210404.tif 000014
【図１３】
2008210404.tif 000015